(57)【要約】      （修正有）【課題】携帯電話等に装飾目的で取付けるストラップに関して、特定素材を用いることで独特の質感を持つと共にマスコットアクセサリーが可動変化して需要者の嗜好を満たすことのできる新製品を提供する。【解決手段】携帯電話等に取付けるストラップ１に用いるアクセサリー部材５において、表面をプラスチックによりコーティングして強化した紙素材シートを上端側が開放された方形袋体に形成すると共に上端開放部に紐材を取付けてミニチュアのショッピングバッグ形状のアクセサリー本体５となし、該アクセサリー本体５内に収容されたキャラクター形状マスコット部材２がアクセサリー本体５下部から導出された引出し紐６を引張るとガイド機構７に沿ってアクセサリー本体５上方に突出され、引出し紐６を解放すると内蔵スプリング８によってアクセサリー本体５内に再び収容される構造となっている。【選択図】図２
0003104289.tif 000002
【実用新案登録請求の範囲】
【請求項１】
携帯電話等に取付けるストラップに用いるアクセサリー部材において、表面をプラスチックによりコーティングして強化した紙素材シートを上端側が開放された方形袋体に形成すると共に上端開放部に紐材を取付けてミニチュアのショッピングバッグ形状のアクセサリー本体となし、該アクセサリー本体内に収容されたキャラクター形状マスコット部材がアクセサリー本体下部から導出された引出し紐を引張るとガイド機構に沿ってアクセサリー本体上方に突出され、引出し紐を解放すると内蔵スプリングによってアクセサリー本体内に再び収容される構造となっていることを特徴とするミニチュアのショッピングバッグ形状アクセサリー付きストラップ。
【考案の詳細な説明】
【技術分野】
【０００１】
本考案は、携帯電話等に主として装飾目的で取付けるマスコットアクセサリー付きのストラップについて、特定素材を用いることで独特の質感を持つものとすると共に簡単な操作でマスコットアクセサリーが可動変化して需要者等の興味を惹くものとする新規な製品を提供しようとするものである。
【背景技術】
【０００２】
携帯電話等にストラップを取付けて所持・使用することは広く一般化しており、該ストラップとして装飾目的のマスコットキャラクターを取付けるようなことも普通に行われているところである。
【０００３】
すなわち、携帯電話等の利用者個々の趣味性などを反映して様々なデザインの各種アクセサリーと一体化したストラップが広く市販されている。
【０００４】
特にマスコットキャラクターを用いたストラップにおいては、該マスコットキャラクターを構成する部材に適宜な可動部を持たせてそれによる形態変化などを付加的に楽しむような提案がなされ、ストラップ紐を引張ることで該可動変化が実現されるようなものも実現されている。
【特許文献１】実用新案登録第３０４３４４４号公報
【考案の開示】
【考案が解決しようとする課題】
【０００５】
しかし、上記したような携帯電話用ストラップにおいては、そのデザイン等に工夫を凝らしているとしても既に多様なものが市販されているので新規なものとして需要者の嗜好を満足させるものを提案することは容易ではない。
【０００６】
可動部を設けたマスコットキャラクターを採用する携帯電話用ストラップにしてもそのキャラクター形状や可動手法などにおいて市販されているもの以外を新たに示すことは困難である。
【課題を解決するための手段】
【０００７】
本考案は、上記のような従来技術に鑑みて検討を重ねて創案されたものであり、携帯電話用ストラップとして可動変化するマスコットキャラクターを用いるものではあるが、さらにそのマスコットキャラクターをミニチュアサイズのショッピングバック形状を模した部材に収容しているものとし、しかも該部材を本物のショッピングバッグと同様の素材により形成するものとしてリアルな質感を実現し、それによって意外性やユーモア感覚に溢れる製品を完成したものであって、より具体的には以下の如くである。
【０００８】
（１）携帯電話等に取付けるストラップに用いるアクセサリー部材において、表面をプラスチックによりコーティングして強化した紙素材シートを上端側が開放された方形袋体に形成すると共に上端開放部に紐材を取付けてミニチュアのショッピングバッグ形状のアクセサリー本体となし、該アクセサリー本体内に収容されたキャラクター形状マスコット部材がアクセサリー本体下部から導出された引出し紐を引張るとガイド機構に沿ってアクセサリー本体上方に突出され、引出し紐を解放すると内蔵スプリングによってアクセサリー本体内に再び収容される構造となっていることを特徴とするミニチュアのショッピングバッグ形状アクセサリー付きストラップ。
【実施例】
【０００９】
上記したような本考案の具体的な実施形態の１例を添付図面にしたがって説明すると以下の如くである。
図１は、本考案による携帯電話用ストラップ１の外観をマスコットキャラクター２の可動変化の様子と共に示した図面である。
【００１０】
すなわち、本考案のストラップ１は、携帯電話本体との連結に用いる接続紐材３、連結金具４、アクセサリー本体５によって構成されるものであり、アクセサリー本体５をショッピングバッグ形状のものとして形成すると共にその中に様々な形状を採用し得るマスコットキャラクター２を可動変化するものとして収容したところに特徴を有するものである。
【００１１】
ショッピングバッグ形状とされたアクセサリー本体５は、通常市販等されている本物のショッピングバッグ（ショッピング紙袋）と同様な素材を同様に表面コーティング等して仕上げ、同じ質感のものとされたシート材などを切り取り、折り曲げ、接着等して作製する。つまり、適度な厚みの紙素材などの表面をコーティングして美麗に仕上げると共に強度も向上させ、そのサイズについては携帯電話等のストラップ１に相応しいミニチュアサイズのものとするが、それ以外の素材感などについては本物のショッピングバッグ同様のリアルなものとするのである。
【００１２】
ミニチュアサイズのショッピングバッグ形状を有するアクセサリー本体５の表面には、本物のショッピングバッグと同様の色彩や文字、模様などを施すことにすればよりユーモア感に溢れる製品となるが、もちろん独自のデザインを施すものとしてもよい。
【００１３】
このようなミニチュアサイズのショッピングバッグ形状アクセサリー本体５にはマスコットキャラクター２が収容されており、アクセサリー本体５の下部から導出されている引出し紐６を操作することでショッピングバッグ形状アクセサリー本体５の中から出入りする可動変化が実現される仕組みになっている。
【００１４】
すなわち、図示の場合には通常はマスコットキャラクター２がショッピングバッグ形状のアクセサリー本体５の中に完全に隠されて状態とされ、引出し紐６を手で下方に引張るとアクセサリー本体５の上方に突出して現われ、引出し紐６から手を離して解放すると再び元の状態に戻るように構成されている。
【００１５】
もちろん、通常はマスコットキャラクターが突出して現われており、引出し紐６を下方に引くとショッピングバッグ形状アクセサリー本体５内に収容され、引き出し紐６を解放すると再びアクセサリー本体５上方に出現するという構成を採用することも可能である。
【００１６】
このようなマスコットキャラクター２の上下スライド動作を引出し紐６の操作によって実現する手法は公知のものの中から任意に選択することができる。例えば、図２に示すように、マスコットキャラクター２の上下動はガイド機構７に沿った動作として行われ、引出し紐６を手放すとスプリング８の力で元の状態に復帰するといった簡便な機構で実現できることが理解される。
【００１７】
本考案で使用すべきマスコットキャラクター２については、ショッピングバッグ形状のアクセサリー本体５の中に収容され得るサイズとされるべきこと以外には特に制限はなく、したがって様々な形状のものが使用可能である。
【００１８】
以上説明したように本考案によれば、可動変化するマスコットキャラクターを利用した携帯電話等用のストラップとして、従来品とは発想の異なるアクセサリー部材との組合せで既存製品には無い面白さを実現しているものであり、市場に新たな需要を生み出すものであって、産業上の利用可能性に優れたものとなっている。
【図面の簡単な説明】
【００１９】
【図１】本考案によるアクセサリー付きストラップの１例をそのマスコットキャラクターの動作例と共に示した図面である。
【図２】アクセサリー本体に収容したマスコットキャラクターの上下スライド動作を実現する手法の１例を説明する図面である。
【符号の説明】
【００２０】
１    携帯電話用ストラップ
２    マスコットキャラクター
３    接続紐材
４    連結金具
５    アクセサリー本体
６    引出し紐
７    ガイド機構
８    スプリング
【図１】
0003104289.tif 000003
【図２】
0003104289.tif 000004